(57)【要約】【課題】杭の性能や機能の違いを一般の人に容易に理解してもらうことができる建築用杭の体験設備及び同体験方法を提供する。【解決手段】模擬地盤としての砂場１と、複数種類のミニチュア杭２ａ〜２ｄとが備えられ、体験希望者７，７が、それぞれのミニチュア杭２ａ〜２ｄについて、砂場１へのミニチュア杭２ａ〜２ｄの打込み具合の比較体験を行えるようになされている。また、ミニチュア杭２ａ〜２ｄの種類に対応する複数種類の実物サイズの杭５ａ〜５ｄを展示する杭展示部４が備えられ、該杭展示部４の杭５ａ〜５ｄを見ながら、砂場１へのミニチュア杭２ａ〜２ｄの打込み具合の体験を行えるようになされている。【選択図】      図１
2006047433.tif 000002
【特許請求の範囲】
【請求項１】
模擬地盤と、複数種類のミニチュア杭とが備えられ、体験希望者が、それぞれのミニチュア杭について、模擬地盤へのミニチュア杭の打込み具合の比較体験を行えるようになされていることを特徴とする建築用杭の体験設備。
【請求項２】
前記ミニチュア杭の種類に対応する複数種類の実物サイズの杭を展示する杭展示部が備えられ、該杭展示部の杭を見ながら、模擬地盤へのミニチュア杭の打込み具合の体験を行えるようになされている請求項１に記載の建築用杭の体験設備。
【請求項３】
請求項１又は２に記載の体験設備を用い、体験希望者に、模擬地盤へのミニチュア杭の打込みを行ってもらうことを特徴とする建築用杭の体験方法。
【発明の詳細な説明】
【技術分野】
【０００１】
本発明は、建築用杭の体験設備及び同体験方法に関する。
【背景技術】
【０００２】
住宅用等の建物の建築に用いられる杭として、性能や機能の異なる複数種類のものが提供されているが、それらの性能や機能の違いを書面や口頭で説明されても、一般の人には理解できないことが多い。また、杭打ち機を用い、現物の複数種類の杭を地面に打ち込む体験をしてもらったからといって、各杭の機能や性能を理解してもらえたことにはならない。杭を地面に打ち込むのは杭打ち機であり、また、地面に打ち込まれた杭はどれもびくともせず、各杭の打込み具合をからだで感じ取ることはできないからである。
【発明の開示】
【発明が解決しようとする課題】
【０００３】
本発明は、上記のような問題点に鑑み、杭の性能や機能の違いを一般の人に容易に理解してもらうことができる建築用杭の体験設備及び同体験方法を提供することを課題とする。
【課題を解決するための手段】
【０００４】
上記の課題は、模擬地盤と、複数種類のミニチュア杭とが備えられ、体験希望者が、それぞれのミニチュア杭について、模擬地盤へのミニチュア杭の打込み具合の比較体験を行えるようになされていることを特徴とする建築用杭の体験設備によって解決される。
【０００５】
この設備は、ミニチュア杭を用いた体験設備であることにより、体験希望者に、自らの力で、模擬地盤へのミニチュア杭の打込みを行ってもらうことができ、杭の打込み具合を体験者自らのからだで感じ取ってもらうことができる。そして、複数種類のミニチュア杭が備えられていることにより、それぞれのミニチュア杭について自分で打込みを行ってもらうことにより、各ミニチュア杭の打込み具合の違いを自らのからだで感じ取ってもらうことができ、種類の違いによる杭の機能や性能の違いを容易に理解してもらうことができる。
【０００６】
上記の体験設備において、ミニチュア杭の種類に対応する複数種類の実物サイズの杭を展示する杭展示部が備えられ、該杭展示部の杭を見ながら、模擬地盤へのミニチュア杭の打込み具合の体験を行えるようになされている場合は、体験者は、ミニチュア杭についての体験を、心の中で、実物の杭についてのものに容易に置き換えることができるようになり、体験者に、あたかも、現物の杭についての体験を行ったかのようなリアルの体験意識をもってもらうことができる。
【０００７】
また、上記の体験設備を用い、体験希望者に、模擬地盤へのミニチュア杭の打込みを行ってもらうことで、杭の性能や機能の違いを体験者に容易に理解してもらうことができる。
【発明の効果】
【０００８】
本発明は、以上のとおりのものであるから、杭の性能や機能の違いを一般の人に容易に理解してもらうことができる。
【発明を実施するための最良の形態】
【０００９】
次に、本発明の実施最良形態を図面に基づいて説明する。
【００１０】
図１に示す体験設備は、大型の容器１ａに砂１ｂを入れることにより模擬地盤としての砂場１が形成され、該砂場１に、図２（イ）〜（ニ）に示すような４種類のミニチュア杭２ａ，２ｂ，２ｃ，２ｄがそれぞれ複数本づつ、あるいは、一本づつ用意されたものからなっている。
【００１１】
各ミニチュア杭２ａ，２ｂ，２ｃ，２ｄは、その先端部構造が互いに異なっており、また、その基端部にはリング部３が備えられ、該リング部３を手で操ることにより、ミニチュア杭を砂場１に刺し込んでみたり、ねじってみたり、引いてみたりすることができるようになされている。
【００１２】
また、上記の体験設備には、砂場１に隣り合うようにして杭展示部４が備えられ、そこには、ミニチュア杭２ａ，２ｂ，２ｃ，２ｄの種類に対応する４種類の実物サイズの杭５ａ，５ｂ，５ｃ，５ｄが、その先端部構造を視認できるよう地中埋込みの形態をなして展示されている。なお、杭５ａ，５ｂ，５ｃ，５ｄは、現物の杭であってもよいし、現物サイズの模型杭であってもよい。また、杭５ａ，５ｂ，５ｃ，５ｄを地中埋込み状態に見せる周囲の土砂部分６は発泡スチロール等で形成されたものであってもよい。
【００１３】
上記の設備によれば、体験希望者７，７は、砂場１の周囲に位置し、そこに用意されている複数種類のミニチュア杭２ａ，２ｂ，２ｃ，２ｄを順次、手に取って、砂場１に、自らの力で、押し込んてみたりねじってみたりしながら打ち込み、そして、打ち込まれた杭を上から押してみて杭支持力を確認したり、上に引っ張ってみて抜けにくいか抜けやすいかを確認してみたりすることができ、それを通じて、各ミニチュア杭２ａ，２ｂ，２ｃ，２ｄの打込み具合の違いをからだで感じ取ることができ、種類の違いによる杭の機能や性能の違いを容易に理解することができる。
【００１４】
しかも、本実施形態では、展示部４に展示された実物サイズの杭５ａ，５ｂ，５ｃ，５ｄを見ながら、上記の体験を行えるようになされているので、体験者７，７は、ミニチュア杭２ａ，２ｂ，２ｃ，２ｄについての砂場１での体験を、心の中で、実物の杭についてのものに容易に置き換えることができ、体験者７，７に、あたかも、現物の杭についての体験を行ったかのようなリアルの体験意識をもってもらうことができる。
【００１５】
以上に、本発明の実施形態を示したが、本発明はこれに限られるものではなく、発明思想を逸脱しない範囲で各種の変更が可能である。例えば、本発明では、ミニチュア杭の種類は２種類以上であればよいし、また、模擬地盤についても、砂場１に限らず、ミニチュア杭を体験者自らの力で打ち込むことができるようなものであればよい。また、実物サイズの杭を展示する展示部を備えさせる場合の杭の展示の仕方についても制限はない。
【図面の簡単な説明】
【００１６】
【図１】実施形態の体験設備を示す斜視図である。
【図２】図（イ）〜図（ニ）はそれぞれ、ミニチュア杭の種類を示す斜視図である。
【符号の説明】
【００１７】
１…砂場（模擬地盤）
２ａ〜２ｄ…ミニチュア杭
４…杭展示部
５ａ〜５ｄ…実物サイズの杭
７…体験希望者
【図１】
2006047433.tif 000003
【図２】
2006047433.tif 000004